(57)【要約】【課題】外気の漏れ込みと冷気の漏れ出しを減少させつつ、商品の取り出し易さを損なわないオープンショーケースを提供する。【解決手段】本発明にかかるオープンショーケース１００は、棚板１０８、１１０、１１２と、棚板１１２から前方に離間して配置され、棚板に向かって下降するように傾斜した整流板１１４とを備えることを特徴とする。【選択図】図１
2019166015.tif 000002
【特許請求の範囲】
【請求項１】
オープンショーケースであって、
棚板と、
前記棚板から前方に離間して配置され、該棚板に向かって下降するように傾斜した整流板とを備えることを特徴とするオープンショーケース。
【請求項２】
前記棚板は、上下に離間して複数段設けられていて、
前記整流板は、最下段の前記棚板から前方に離間して配置されていることを特徴とする請求項１に記載のオープンショーケース。
【請求項３】
前記整流板の前記棚板と反対側の端近傍に設けられ、上方に向かって延びる縦板をさらに備えることを特徴とする請求項１または２に記載のオープンショーケース。
【請求項４】
前記整流板の傾斜は、６０度であることを特徴とする請求項１から３のいずれか１項に記載のオープンショーケース。
【発明の詳細な説明】
【技術分野】
【０００１】
本発明は、棚板が配置されたオープンショーケースに関する。
【背景技術】
【０００２】
スーパーマーケットなどに設置されるオープンショーケースは、陳列スペースを有する。陳列スペースは、複数段に置かれた棚板を有していて、棚板に置かれた商品を取り出し易いように、店内（室内）に向けて開放されている。
【０００３】
特許文献１に記載のオープンショーケースでは、商品収納庫（陳列スペース）の上部の冷気吐出口から冷気を吐出し、陳列スペースの下部の冷気吸込口から冷気を吸い込むことで、冷気を循環させてエアーカーテンを形成している。また商品収納庫の後方に位置する冷気循環ダクト内には、冷却器が設置されていて、冷気吸込口から吸い込まれた冷気を冷却している。
【先行技術文献】
【特許文献】
【０００４】
【特許文献１】特開２００６−３０２１号公報
【発明の概要】
【発明が解決しようとする課題】
【０００５】
エアーカーテンには、陳列スペースの内部に、室内の空気（すなわち外気）が漏れ込むことを抑制する効果がある。しかし、陳列スペースが室内に向けて開放されていることから、たとえエアーカーテンを形成しても、実際には、陳列スペースの内部に室内から外気がある程度は漏れ込んでしまう。
【０００６】
そして、陳列スペースの内部に外気が漏れ込むと、冷気が室内に漏れ出すことになり、冷却器に利用されるヒートポンプの負荷が高くなり、ヒートポンプのＣＯＰ（Coefficient Of Performance：成績係数）が低下してしまう。このため、外気の漏れ込みと、冷気の漏れ出しを減少させることは、商品販売のコスト管理を行う上で重要である。
【０００７】
さらにオープンショーケースでは、商品の取り出し易さも重要である。このため、外気の漏れ込みと冷気の漏れ出しを減少させながらも、商品の取り出し易さを損なわないことが好ましい。
【０００８】
本発明は、このような課題に鑑み、外気の漏れ込みと冷気の漏れ出しを減少させつつ、商品の取り出し易さを損なわないオープンショーケースを提供することを目的としている。
【課題を解決するための手段】
【０００９】
上記課題を解決するために、本発明にかかるオープンショーケースの代表的な構成は、オープンショーケースであって、棚板と、棚板から前方に離間して配置され、棚板に向かって下降するように傾斜した整流板とを備えることを特徴とする。
【００１０】
ここでオープンショーケースは、上方から下方に向かう冷気によりエアーカーテンを形成している。上記構成では、棚板に向かって下降するように傾斜した整流板を配置したので、上方から下方に向かう冷気のうち室内へ散逸しようとする冷気を棚板に向かって引き戻すことができる。そして整流板を棚板から前方に離間して配置しているので、整流板と棚板の間に冷気が流れる。このため、棚板が配置された陳列スペースへの外気の漏れ込みと、冷気の室内への漏れ出しとを減少させることができる。これにより、冷気を冷却するヒートポンプのＣＯＰが上がり、省エネルギー化を図ることができる。また整流板は、棚板の前方に配置されているので、棚板から商品を取り出すとき邪魔にならず、商品の取り出し易さも損なわれない。
【００１１】
上記の棚板は、上下に離間して複数段設けられていて、整流板は、最下段の棚板から前方に離間して配置されているとよい。
【００１２】
エアーカーテンを形成する冷気は、上方から吹き出して下方で吸い込まれるため、下方に向かうにつれて散逸し、外気の漏れ込みが増える。このため、最下段の棚板の前方に整流板を配置することにより、散逸する冷気を棚板側に導く（押し戻す）ことになり、効果的に気流を制御できる。
【００１３】
また整流板が顧客の肩より低い位置にあり、棚板に向かって下降するように（すなわち、手前に向かって上がるように）傾斜していることから、顧客の視界や伸ばした手を整流板が邪魔する面積を最小限に留めることができる。
【００１４】
上記の整流板の棚板と反対側の端近傍に設けられ、上方に向かって延びる縦板をさらに備えるとよい。このように整流板に縦板を設けることにより、冷気の気流をより多くとらえて整流板側に導くことができる。
【００１５】
上記の整流板の傾斜は、６０度であるとよい。このような傾斜で整流板を配置することで、外気の漏れ込みと冷気の漏れ出しを効果的に減少させることができる。
【発明の効果】
【００１６】
本発明によれば、外気の漏れ込みと冷気の漏れ出しを減少させつつ、商品の取り出し易さを損なわないオープンショーケースを提供することができる。
【図面の簡単な説明】
【００１７】
【図１】本発明の実施形態におけるオープンショーケースを示す図である。
【図２】整流板の有無による気流の状態を示す図である。
【図３】整流板の位置の違いによる気流の状態を示す図である。
【図４】整流板の角度の違いによる気流の状態を示す図である。
【図５】整流板の縦板の有無による気流の状態を示す図である。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１９】
図１は、本発明の実施形態におけるオープンショーケース１００を示す図である。オープンショーケース１００は、スーパーマーケットなどに設置され、店内（室内）に向けて開放された陳列スペース１０２を有する。陳列スペース１０２の上部には、冷気を吹き出す吹出口１０４が設けられている。陳列スペース１０２の下部には、冷気を吸い込む吸込口１０６が設けられている。
【００２０】
オープンショーケース１００では、吹出口１０４から下方に向けて冷気を吹き出し、さらに吸込口１０６から冷気を吸い込んでいる。なお吸い込まれた冷気は、陳列スペース１０２の背後に設けられた不図示の通風路を通り、さらに通風路に設置されたヒートポンプにより冷却されて、吹出口１０４から再び吹き出される。
【００２１】
このようにしてオープンショーケース１００では、冷気を循環させてエアーカーテンを形成し、陳列した商品（不図示）を保冷している。なお商品は、陳列スペース１０２の内部に上下に離間して複数段（ここでは３つ）設けられた棚板１０８、１１０、１１２に陳列される。
【００２２】
オープンショーケース１００が形成するエアーカーテンには、陳列スペース１０２の内部に、室内の空気（すなわち外気）が漏れ込むことを抑制する効果がある。しかし、陳列スペース１０２は、室内に向けて開放されていることから、たとえエアーカーテンを形成しても、実際には、陳列スペース１０２の内部へ外気がある程度は漏れ込んでしまう。
【００２３】
すなわちオープンショーケース１００では、図示のように、吹出口１０４からの冷気Ａに、室内の空気（外気Ｃ）が漏れ込んで合流した後、吸込口１０６から吸い込まれる空気Ｂ（図中鎖線）として循環し、エアーカーテンを形成することになる。さらにオープンショーケース１００では、外気Ｃが漏れ込んだ分、冷気Ｄ（図中鎖線）が室内に漏れ出してしまう。
【００２４】
つまり、陳列スペース１０２の内部に外気Ｃが漏れ込むと、吸い込まれる空気Ｂの温度が上昇してしまうため、冷却器に利用されるヒートポンプの負荷が高くなり、ヒートポンプのＣＯＰ（Coefficient Of Performance：成績係数）が低下してしまう。このため、外気Ｃの漏れ込みと、冷気Ｄの漏れ出しを減少させることは、商品販売のコスト管理を行う上で重要である。
【００２５】
そこで本実施形態では、整流板１１４を棚板（ここでは最下段の棚板１１２）から前方に離間して配置することにより、陳列スペース１０２への外気の漏れ込みと、冷気の室内への漏れ出しとを減少させる、という構成を採用した。
【００２６】
具体的には、整流板１１４は、最下段の棚板１１２から前方に離間していて、さらに棚板１１２に向かって下降するように傾斜（ここでは水平から６０度）するように配置されている。また整流板１１４は、陳列スペース１０２を区画する側板１１６、１１８に固定されている。さらに整流板１１４には、縦板１２０が設けられている。縦板１２０は、図示のように棚板１１２と反対側の端１２２近傍に設けられ、上方に向かって延びている。
【００２７】
このようにオープンショーケース１００では、棚板１１２に向かって下降するように傾斜した整流板１１４を配置したので、上方から下方に向かう冷気のうち、室内へ散逸しようとする冷気Ｅを図示のように棚板１１２に向かって引き戻すことができる。そして室内へ散逸しようとする冷気Ｅを棚板１１２側に導くことで、陳列スペース１０２への外気Ｃの漏れ込みを減少させることができる。
【００２８】
また整流板１１４を棚板１１２から前方に離間して配置しているので、整流板１１４と棚板１１２の間に冷気が下方に向かって流れ、図中に示す冷気Ｆとして吸込口１０６に吸い込まれる。このように冷気Ｆを、図中鎖線で示した冷気Ｄとは異なり、吸込口１０６に導くことができるため、冷気の室内への漏れ出しを減少できる。
【００２９】
したがってオープンショーケース１００では、整流板１１４を備えることで、陳列スペース１０２への外気の漏れ込みと、冷気の室内への漏れ出しとを減少させることができる。その結果、冷気を冷却するヒートポンプのＣＯＰが上がり、省エネルギー化を図ることができる。さらに、整流板１１４は、棚板１１２の前方に配置されているので、棚板１１２から商品を取り出すとき邪魔にならず、商品の取り出し易さも損なわれない。
【００３０】
ここで、エアーカーテンを形成する冷気は、上方から吹き出して下方で吸い込まれるため、下方に向かうにつれて散逸し、外気の漏れ込みが増える傾向にある。そこでオープンショーケース１００では、最下段の棚板１１２の前方に整流板１１４を配置することにより、散逸する冷気Ｅを棚板１１２側に導く（押し戻す）ことになり、効果的に気流を制御できる。
【００３１】
また整流板１１４は、最下段の棚板１１２の前方に配置されているため、顧客の肩より低い位置にある。さらに整流板１１４は、棚板１１２に向かって下降するように（すなわち、手前に向かって上がるように）傾斜している。このような配置によれば、顧客の視界や伸ばした手を整流板１１４が邪魔する面積を最小限に留めることができる。
【００３２】
さらに整流板１１４には上方に向かって延びる縦板１２０が設けられているので、冷気Ｅの気流をより多くとらえて整流板１１４側に導くことができる。
【００３３】
以下、図２〜図５を参照して、整流板１１４の有無、位置および角度の違い、さらには縦板１２０の有無による気流の状態をそれぞれ説明する。各図の左側には、本実施形態のオープンショーケース１００、変形例としてのオープンショーケース１００Ａ〜１００Ｆ、比較例として整流板１１４がないオープンショーケース２００を模式的にそれぞれ示している。各図の右側には、オープンショーケース１００、１００Ａ〜１００Ｆ、２００に対応する気流の状態を撮影したサーモグラフィー写真をそれぞれ示している。
【００３４】
図２は、整流板１１４の有無による気流の状態を示す図である。図２（ａ）に示す本実施形態のオープンショーケース１００と、図２（ｂ）に示す比較例のオープンショーケース２００との気流の状態を比較する。
【００３５】
比較例のオープンショーケース２００は、上記の整流板１１４を備えていない点で、本実施形態のオープンショーケース１００と異なる。両者のサーモグラフィー写真を比較すると、オープンショーケース１００では、図２（ａ）の右側に示すエアーカーテンのうち実線で囲んだ領域を見ると、その領域内の２つの点線で挟まれた帯状の幅が、図２（ｂ）の右側に示す比較例のオープンショーケース２００のエアーカーテンの帯状の幅と比べて小さい。
【００３６】
つまり、オープンショーケース１００では、陳列スペース１０２への外気の漏れ込みが少ないため、エアーカーテンの領域における帯状の幅が小さくなっている。一方、比較例のオープンショーケース２００では、陳列スペース１０２への外気の漏れ込みにより帯状の幅が大きくなり室内側に膨らんでいる。したがって、整流板１１４には、陳列スペース１０２への外気の漏れ込みと、冷気の室内への漏れ出しとを減少させる効果があることが明らかである。
【００３７】
図３は、整流板１１４の位置の違いによる気流の状態を示す図である。ここでは図３（ａ）、図３（ｂ）に示す変形例のオープンショーケース１００Ａ、１００Ｂと、図２（ａ）に示す本実施形態のオープンショーケース１００との気流の状態を比較する。
【００３８】
変形例のオープンショーケース１００Ａ、１００Ｂは、上記の整流板１１４の位置が最上段の棚板１０８、中段の棚板１１０から前方に離間してそれぞれ配置されている。これに対して本実施形態のオープンショーケース１００は、上記したように整流板１１４が最下段の棚板１１２から前方に離間して配置されている（図２（ａ）参照）。
【００３９】
図２（ａ）、図３（ａ）および図３（ｂ）の右側にそれぞれ示すオープンショーケース１００、１００Ａ、１００Ｂの各サーモグラフィー写真を比較すると、オープンショーケース１００では、エアーカーテンの帯状の幅が、変形例のオープンショーケース１００Ａ、１００Ｂのエアーカーテンの帯状の幅と比べて小さいことが分かる。
【００４０】
したがって、整流板１１４を最下段の棚板１１２の前方に配置することにより、散逸する冷気をより棚板１１２側に押し戻すことができ、さらに外気の漏れ込みを減少させて、効果的に気流を制御できることが明らかである。
【００４１】
図４は、整流板１１４の角度の違いによる気流の状態を示す図である。ここでは図４（ａ）、図４（ｂ）、図４（ｃ）にそれぞれ示す変形例のオープンショーケース１００Ｃ、１００Ｄ、１００Ｅと、図２（ａ）に示す本実施形態のオープンショーケース１００との気流の状態を比較する。
【００４２】
変形例のオープンショーケース１００Ｃ、１００Ｄ、１００Ｅは、上記の整流板１１４がそれぞれ水平から３０度、４５度、７５度の角度で棚板１１２に向かって下降するように傾斜している。これに対して本実施形態のオープンショーケース１００は、上記したように整流板１１４が６０度傾斜している。
【００４３】
図２（ａ）、図４（ａ）、図４（ｂ）および図４（ｃ）の右側にそれぞれ示すオープンショーケース１００、１００Ｃ、１００Ｄ、１００Ｅの各サーモグラフィー写真を比較すると、整流板１１４の角度を、３０度、４５度、７５度に設定するよりも、６０度に設定した方が、エアーカーテンの帯状の幅が小さくなることが分かる。
【００４４】
したがって、整流板１１４を６０度の角度で棚板１１２に向かって下降するように傾斜させることにより、散逸する冷気をより棚板１１２側に押し戻すことができ、さらに外気の漏れ込みを減少させることが明らかである。
【００４５】
図５は、整流板１１４の縦板１２０の有無による気流の状態を示す図である。ここでは図５に示す変形例のオープンショーケース１００Ｆと、図２（ａ）に示す本実施形態のオープンショーケース１００との気流の状態を比較する。
【００４６】
変形例のオープンショーケース１００Ｆは、整流板１１４に縦板１２０が設けられていない点で、本実施形態のオープンショーケース１００と異なる。図２（ａ）、図５の右側にそれぞれ示すオープンショーケース１００、１００Ｆの各サーモグラフィー写真を比較すると、図５では整流板１１４の前方に冷気が漏れ出してしまっていることがわかる。そして、図２（ａ）のように整流板１１４に縦板１２０を設けた方が、エアーカーテンの帯状の幅が小さくなることが分かる。
【００４７】
このような図２〜図５の結果から、整流板１１４を最下段の棚板１１２の前方に配置して、棚板１１２に向かって下降するように６０度の角度で傾斜させ、さらに整流板１１４には縦板１２０を設ける、という構成を採用することにより、散逸する冷気をより棚板１１２側に押し戻すことができ、外気の漏れ込みと冷気の漏れ出しを効果的に減少できることが明らかとなった。
【００４８】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４９】
本発明は、棚板が配置されたオープンショーケースとして利用することができる。
【符号の説明】
【００５０】
１００、１００Ａ〜１００Ｄ、２００…オープンショーケース、１０２…陳列スペース、１０４…吹出口、１０６…吸込口、１０８、１１０、１１２…棚板、１１４…整流板、１１６、１１８…側板、１２０…縦板、１２２…整流板の端
【図１】
2019166015.tif 000003
【図２】
2019166015.tif 000004
【図３】
2019166015.tif 000005
【図４】
2019166015.tif 000006
【図５】
2019166015.tif 000007